(57)【要約】【課題】滑らかな画像を表示させる。【解決手段】  表示部は、複数の画素セル２５１により構成される。画素セル２５１には、菱形の形状のサブピクセル２６１乃至２６３が、それぞれ異なる向きで配置される。表示制御部は、表示部の各サブピクセル２６１乃至２６３を駆動し、サブピクセル２６１に緑色を、サブピクセル２６２に青色を、サブピクセル２６３に赤色をそれぞれ表示させることにより、表示部に高密度画像を表示させる。本発明は、例えば、液晶ディスプレイに適用することができる。【選択図】図１５
2006201485.tif 000002
【特許請求の範囲】
【請求項１】
複数の菱形の形状の表示素子が、それぞれ異なる向きで隣接するように配置される表示手段と、
各表示素子を独立に駆動し、前記表示手段に画像を表示させる表示制御手段と
を備えることを特徴とする表示装置。
【請求項２】
前記表示制御手段は、隣接する３つの前記表示素子で構成される六角形の第１の表示素子群の単位で前記表示素子を駆動し、前記表示手段に前記画像を表示させる
ことを特徴とする請求項１に記載の表示装置。
【請求項３】
前記表示制御手段は、前記第１の表示素子群の単位で前記表示素子を駆動し、前記第１の表示素子群の各表示素子に異なる色を表示させることにより、前記表示手段に前記画像を表示させる
ことを特徴とする請求項２に記載の表示装置。
【請求項４】
前記表示制御手段は、前記第１の表示素子群の単位の他、さらに、隣接する４つの前記表示素子で構成される第２の表示素子群の単位で前記表示素子を駆動し、前記表示手段に前記画像を表示させる
ことを特徴とする請求項２に記載の表示装置。
【請求項５】
複数の前記第１の表示素子群、複数の前記第２の表示素子群、または前記第１の表示素子群および前記第２の表示素子群は、少なくとも１つの同一の表示素子を含む
ことを特徴とする請求項４に記載の表示装置。
【請求項６】
入力された画像のデータに基づいて、より高い解像度の画像のデータを生成する画像生成手段
をさらに備え、
前記表示制御手段は、前記画像生成手段により生成された解像度の高い画像のデータに基づいて、前記表示手段に前記画像を表示させる
ことを特徴とする請求項１に記載の表示装置。
【請求項７】
それぞれ異なる向きで隣接するように配置される複数の菱形の形状の表示素子を備える表示装置の表示制御方法において、
各表示素子を独立に駆動して画像を表示させる表示制御ステップ
を含むことを特徴とする表示制御方法。
【請求項８】
複数の三角形の形状の表示素子が、それぞれ異なる向きで隣接するように配置される表示手段と、
各表示素子を独立に駆動し、前記表示手段に画像を表示させる表示制御手段と
を備え、
前記表示制御手段は、隣接する６つの前記表示素子で構成される六角形の第１の表示素子群の単位、並びに隣接する８つの前記表示素子で構成される第２の表示素子群の単位で前記表示素子を駆動し、前記表示手段に前記画像を表示させる
ことを特徴とする表示装置。
【請求項９】
複数の前記第１の表示素子群、複数の前記第２の表示素子群、または前記第１の表示素子群および前記第２の表示素子群は、少なくとも１つの同一の表示素子を含む
ことを特徴とする請求項８に記載の表示装置。
【請求項１０】
入力された画像のデータに基づいて、より高い解像度の画像のデータを生成する画像生成手段
をさらに備え、
前記表示制御手段は、前記画像生成手段により生成された解像度の高い画像のデータに基づいて、前記表示手段に前記画像を表示させる
ことを特徴とする請求項８に記載の表示装置。
【請求項１１】
それぞれ異なる向きで隣接するように配置される複数の三角形の形状の表示素子を備える表示装置の表示制御方法において、
各表示素子を独立に駆動して画像を表示させる表示制御ステップを含み、
前記表示制御ステップの処理は、隣接する６つの前記表示素子で構成される六角形の第１の表示素子群の単位、並びに隣接する８つの前記表示素子で構成される第２の表示素子群の単位で前記表示素子を駆動して前記画像を表示させる
ことを特徴とする表示制御方法。
【発明の詳細な説明】
【技術分野】
【０００１】
本発明は、表示装置および表示制御方法に関し、特に、滑らかな画像を表示させることができるようにする表示装置および表示制御方法に関する。
【背景技術】
【０００２】
液晶ディスプレイ、プラズマディスプレイ、有機ＥＬ(Electro Luminescent)ディスプレイ、フィールドエミッションディスプレイなどの表示装置においては、画素の形状と表示位置が固定されている。このような表示装置では、半導体で構成される画素セルのサイズを、半導体の微細化により小さくすることで、高精細な画像の表示が実現されている。
【０００３】
しかしながら、半導体を微細化するためには、非常に高額な開発資金の投資と、高額な設備投資が必要である。また、画素セルは、光を発光する発光部と発光部を駆動する回路部とにより構成される。回路部は、一般的に、所定の大きさより小さくすることは困難である。従って、画素セルのサイズ（面積）が小さい場合、画素セルのサイズに対する、発光部の光が透過する領域の面積の割合である開口率が低下する。その結果、画素セルにより表示される光の輝度が低下する。
【０００４】
そこで、近年、表示装置では、画素セルを構成する赤色を表示するサブピクセル、緑色を表示するサブピクセル、および青色を表示するサブピクセルを、それぞれ別々に駆動することにより、高精細な画像の表示が実現されている。
【０００５】
図１は、従来の液晶ディスプレイやプラズマディスプレイなどの表示装置を構成する画素セルの形状を示す図である。なお、図中、Ｒ，Ｇ，Ｂは、それぞれ赤色、緑色、青色を表している。このことは、後述する図４と図５においても同様である。
【０００６】
図１では、画素セル１は、同一の大きさ（サイズ）の長方形の形状のサブピクセル１１乃至１３から構成される。サブピクセル１１は赤色を、サブピクセル１２は青色を、サブピクセル１３は緑色を、それぞれ表示する。図１に示すように、画素セル１には、サブピクセル１１乃至１３が、図中左側から、サブピクセル１１、サブピクセル１２、サブピクセル１３の順に並んで配列されており、この配列をRGBストライプ配列という。図１では、サブピクセル１１乃至１３それぞれの横方向（水平方向）の長さが１、縦方向（垂直方向）の長さが３となっており、サブピクセル１１乃至１３それぞれの面積（サイズ）は、いずれも３（＝１×３）である。
【０００７】
表示装置は、画素セル１のサブピクセル１１に赤色を、サブピクセル１２に青色を、サブピクセル１３に緑色をそれぞれ表示することにより、フルカラーの画像の１画素を表示する。
【０００８】
画素セル１から構成される表示装置において表示される画像の例を、図２と図３を参照して説明する。なお、図２と図３では、表示装置に文字「の」の画像が表示されている。
【０００９】
図２は、画素セル１単位で表示の制御が行われる場合の、表示装置に表示される画像を示しており、図３は、サブピクセル１１乃至１３単位で表示の制御が行われる場合の、表示装置に表示される画像を示している。
【００１０】
サブピクセル１１乃至１３単位で表示の制御が行われる場合、１画素を表示させる３つのサブピクセル１１乃至１３の組み合わせを変化させることができる。例えば、画素セル１には、３つのサブピクセル１１乃至１３が横方向（水平方向）に配列されているので、１画素を表示させる３つのサブピクセル１１乃至１３の組み合わせは、水平方向に３通り存在する。従って、サブピクセル単位１１乃至１３単位で表示の制御が行われる場合、表示装置には、画素セル１単位で表示の制御が行われる場合に比べて、水平方向に３倍の画像のデータに対応する画像を表示させることができる。即ち、表示装置には、水平精細度が３倍の画像を表示させることができる。
【００１１】
その結果、図２と図３に示すように、サブピクセル１１乃至１３単位で表示の制御が行われる場合に表示される画像（図３）は、画素セル１単位で表示の制御が行われる場合に表示される画像（図２）に比べて、水平方向の滑らかさが向上している。なお、縦方向（垂直方向）の滑らかさは同一である。
【００１２】
図４は、従来のCCD（Charge Coupled Device）やCMOS(Complementary Metal Oxide Semiconductor)などの撮像素子、液晶ディスプレイ、またはプラズマディスプレイなどの表示装置を構成する画素セルの形状を示す図である。
【００１３】
図４では、画素セル２１は、同一のサイズの長方形の形状のサブピクセル３１−１とサブピクセル３１−２、サブピクセル３２、並びにサブピクセル３３から構成される。サブピクセル３１−１とサブピクセル３１−２は緑色を、サブピクセル３２は赤色を、サブピクセル３３は青色を、それぞれ表示する。なお、以下では、サブピクセル３１−１とサブピクセル３１−２を個々に区別する必要がない場合、それらをまとめてサブピクセル３１という。
【００１４】
図４に示すように、画素セル２１には、図中左上にサブピクセル３１−１が、その右隣にサブピクセル３２が、サブピクセル３１−１の下側にサブピクセル３３が、その右隣(サブピクセル３２の下側)にサブピクセル３１−２が配列されており、この配列を市松配列という。図４では、サブピクセル３１乃至３３それぞれの横方向（水平方向）の長さが２、縦方向（垂直方向）の長さが１．５となっており、サブピクセル３１乃至３３それぞれの面積は、いずれも、図１のサブピクセル１１乃至１３と同一の３（＝２×１．５）である。
【００１５】
表示装置は、画素セル２１の２つのサブピクセル３１−１とサブピクセル３１−２に緑色を、サブピクセル３２に赤色を、サブピクセル３３に青色をそれぞれ表示することにより、フルカラーの画像の１画素を表示する。
【００１６】
なお、図４では、２つのサブピクセル３１−１とサブピクセル３１−２がそれぞれ緑色を表示するようにしたが、サブピクセル３１−１とサブピクセル３１−２のいずれか一方が、緑色を表示し、他方が白色を表示するようにしてもよい。
【００１７】
図５は、従来の液晶ディスプレイやプラズマディスプレイなどの表示装置を構成する画素セルの形状を示す図である。
【００１８】
図５では、画素セル４１は、同一のサイズの長方形のサブピクセル５１乃至５３から構成される。サブピクセル５１は緑色を、サブピクセル５２は赤色を、サブピクセル５３は青色を、それぞれ表示する。図５に示すように、画素セル４１には、図中左上にサブピクセル５１が、その右隣にサブピクセル５２が、サブピクセル５１とサブピクセル５２の下側の中央に（サブピクセル５１の左端から、サブピクセル５１の横方向の長さの半分だけ右側の位置にサブピクセル５３の左端が配置されるように）、サブピクセル５３が配列されており、この配列をデルタ配列という。図５では、サブピクセル５１乃至５３それぞれの横方向（水平方向）の長さが２、縦方向（垂直方向）の長さが１．５となっており、サブピクセル５１乃至５３それぞれの面積は、いずれも、図１のサブピクセル１１乃至１３や図４のサブピクセル３１乃至３３と同一の３（＝２×１．５）である。
【００１９】
表示装置は、画素セル４１のサブピクセル５１に緑色を、サブピクセル５２に赤色を、サブピクセル５３に青色をそれぞれ表示することにより、フルカラーの画像の１画素を表示する。
【００２０】
次に、図６乃至図９を参照して、図１のRGBストライプ配列の画素セル１、図４の市松配列の画素セル２１、および図５のデルタ配列の画素セル４１からそれぞれ構成される表示装置に表示される画像について説明する。なお、図６乃至図９では、表示装置に文字「０」の画像が表示されている。
【００２１】
図１のRGBストライプ配列の画素セル１から構成される表示装置において、画素セル１単位で表示の制御が行われる場合、図６に示すように、表示装置に表示される文字「０」の画像は、直線的(ギザギザ)な画像となる。
【００２２】
一方、図１のRGBストライプ配列の画素セル１から構成される表示装置において、サブピクセル１１乃至１３単位で表示の制御が行われる場合、上述した図３で説明したように、画素セル１単位で表示の制御が行われる場合に比べて、水平精細度が３倍の画像を表示させることができる。従って、図７に示すように、表示装置に表示される文字「０」の画像は、図６の画像に比べて曲線的（滑らか）になる。
【００２３】
また、図４の市松配列の画素セル２１から構成される表示装置において、サブピクセル３１乃至３３単位で表示の制御が行われる場合、画素セル２１には、サブピクセル３１−１とサブピクセル３２（サブピクセル３３とサブピクセル３１−２）の２つのサブピクセルが水平方向に配列されているので、表示装置には、図１のサブピクセル１１乃至１３単位で表示の制御が行われる場合に比べて、水平精細度が2/3倍の画像が表示される。従って、図８に示すように、サブピクセル３１乃至３３単位で表示の制御が行われる場合に表示される画像は、図７の画像に比べて、水平方向の滑らかさが悪化した画像となっている。
【００２４】
一方、画素セル２１には、垂直方向にも、サブピクセル３１−１とサブピクセル３３（サブピクセル３２とサブピクセル３１−２）の２つのサブピクセルが配列されているので、表示装置には、図１の画素セル１単位やサブピクセル１１乃至１３単位で表示の制御が行われる場合に比べて、垂直方向に２倍の画像のデータに対応する画像を表示させることができる。即ち、表示装置には、図６や図７の場合に比べて垂直精細度が２倍の画像を表示させることができる。
【００２５】
従って、図８に示すように、サブピクセル３１乃至３３単位で表示の制御が行われる場合に表示装置に表示される画像は、図６や図７の画像に比べて、垂直方向の滑らかさが向上した画像となっている。
【００２６】
さらに、図５の画素セル４１から構成される表示装置は、面積が３の３つのサブピクセル５１乃至５３に各色を表示させることにより、フルカラーの画像の１画素を表示するので、面積が３の４つのサブピクセル３１乃至３３に各色を表示することにより、フルカラーの画像の１画素を表示する図４の画素セル２１から構成される表示装置に比べて、フルカラーの画像の１画素を表示するために必要な面積が小さくなる。
【００２７】
その結果、図５のデルタ配列の画素セル４１から構成される表示装置において、サブピクセル５１乃至５３単位で表示の制御が行われる場合、図９に示すように、表示装置に表示される画像は、図８の画像に比べて、滑らかさが向上した画像となっている。
【００２８】
以上のように、表示装置では、その表示装置を構成するサブピクセル１１乃至１３，３１乃至３３、または４１乃至４４の形状や配列によって、同一の面積であっても、表示される画像の滑らかさが異なる。
【００２９】
また、正三角形の形状の２つの赤色を表示するサブピクセル、２つの青色を表示するサブピクセル、および２つの緑色を表示するサブピクセルからなる正六角形の形状の画素セルから構成され、画素セル単位で画像出力(表示)の制御を行う画像出力用装置が提案されている（例えば、特許文献１参照）。この画像出力用装置では、画素セルの形状が正六角形の形状であるため、水平ラインに対して±３０度の角度をもったラインの画像の表示を行うことができ、これにより、高精細な画像表示を実現している。
【特許文献１】特開２０００−１２１９９０号公報
【発明の開示】
【発明が解決しようとする課題】
【００３０】
しかしながら、上述した特許文献１の画素セルでは、画素セル単位で表示の制御を行うので、滑らかに画像を表示させることが困難である。
【００３１】
本発明は、このような状況に鑑みてなされたものであり、滑らかな画像を表示させることができるようにするものである。
【課題を解決するための手段】
【００３２】
本発明の第１の表示装置は、複数の菱形の形状の表示素子が、それぞれ異なる向きで隣接するように配置される表示手段と、各表示素子を独立に駆動し、表示手段に画像を表示させる表示制御手段とを備えることを特徴とする。
【００３３】
この表示制御手段は、隣接する３つの表示素子で構成される六角形の第１の表示素子群の単位で表示素子を駆動し、表示手段に画像を表示させることができる。
【００３４】
表示制御手段は、第１の表示素子群の単位で表示素子を駆動し、第１の表示素子群の各表示素子に異なる色を表示させることにより、表示手段に画像を表示させることができる。
【００３５】
表示制御手段は、第１の表示素子群の単位の他、さらに、隣接する４つの表示素子で構成される第２の表示素子群の単位で表示素子を駆動し、表示手段に画像を表示させることができる。
【００３６】
複数の第１の表示素子群、複数の第２の表示素子群、または第１の表示素子群および第２の表示素子群は、少なくとも１つの同一の表示素子を含むようにすることができる。
【００３７】
第１の表示装置には、入力された画像のデータに基づいて、より高い解像度の画像のデータを生成する画像生成手段をさらに設け、表示制御手段は、画像生成手段により生成された解像度の高い画像のデータに基づいて、表示手段に画像を表示させることができる。
【００３８】
本発明の第１の表示制御方法は、各表示素子を独立に駆動して画像を表示させる表示制御ステップを含むことを特徴とする。
【００３９】
本発明の第２の表示装置は、複数の三角形の形状の表示素子が、それぞれ異なる向きで隣接するように配置される表示手段と、各表示素子を独立に駆動し、表示手段に画像を表示させる表示制御手段とを備え、表示制御手段は、隣接する６つの表示素子で構成される六角形の第１の表示素子群の単位、並びに隣接する８つの表示素子で構成される第２の表示素子群の単位で表示素子を駆動し、表示手段に画像を表示させることを特徴とする。
【００４０】
複数の第１の表示素子群、複数の第２の表示素子群、または第１の表示素子群および第２の表示素子群は、少なくとも１つの同一の表示素子を含むようにすることができる。
【００４１】
第２の表示装置には、入力された画像のデータに基づいて、より高い解像度の画像のデータを生成する画像生成手段をさらに設け、表示制御手段は、画像生成手段により生成された解像度の高い画像のデータに基づいて、表示手段に画像を表示させることができる。
【００４２】
本発明の第２の表示制御方法は、各表示素子を独立に駆動して画像を表示させる表示制御ステップを含み、表示制御ステップの処理は、隣接する６つの表示素子で構成される六角形の第１の表示素子群の単位、並びに隣接する８つの表示素子で構成される第２の表示素子群の単位で表示素子を駆動して画像を表示させることを特徴とする。
【００４３】
本発明の第１の表示装置および第１の表示制御方法においては、複数の菱形の形状の表示素子が、それぞれ異なる向きで隣接するように配置される表示手段の各表示素子を駆動し、表示手段に画像を表示させる。
【００４４】
本発明の第２の表示装置および第２の表示制御方法においては、複数の三角形の形状の表示素子が、それぞれ異なる向きで隣接するように配置される表示手段の各表示素子を、隣接する６つの表示素子で構成される六角形の第１の表示素子群、または隣接する８つの表示素子で構成される第２の表示素子群の単位で駆動し、表示手段に画像を表示させる。
【発明の効果】
【００４５】
本発明によれば、滑らかな画像を表示させることができる。
【発明を実施するための最良の形態】
【００４６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００４８】
請求項１に記載の表示装置(例えば、図１０の表示装置１０１)は、
複数の菱形の形状の表示素子(例えば、図１５のサブピクセル２６１乃至２６３)が、それぞれ異なる向きで隣接するように配置される表示手段(例えば、図１０の表示部１２３)と、
各表示素子を独立に駆動し、前記表示手段に画像を表示させる表示制御手段(例えば、図１０の表示制御部１２２)と
を備えることを特徴とする。
【００４９】
請求項２に記載の表示装置は、
前記表示制御手段は、隣接する３つの前記表示素子で構成される六角形の第１の表示素子群(例えば、図１６のサブピクセル群２７１)の単位で前記表示素子を駆動し、前記表示手段に前記画像を表示させる
ことを特徴とする。
【００５０】
請求項３に記載の表示装置は、
前記表示制御手段は、前記第１の表示素子群の単位で前記表示素子を駆動し、前記第１の表示素子群の各表示素子に異なる色(例えば、赤色、緑色、青色)を表示させることにより、前記表示手段に前記画像を表示させる
ことを特徴とする。
【００５１】
請求項４に記載の表示装置は、
前記表示制御手段は、前記第１の表示素子群の単位の他、さらに、隣接する４つの前記表示素子で構成される第２の表示素子群(例えば、図１６のサブピクセル群２７２)の単位で前記表示素子を駆動し、前記表示手段に前記画像を表示させる
ことを特徴とする。
【００５２】
請求項５に記載の表示装置は、
複数の前記第１の表示素子群（例えば、図１７のサブピクセル群２７１1と図２１のサブピクセル群２７１3）、複数の前記第２の表示素子群（例えば、図１８のサブピクセル群２７２1と図１９のサブピクセル群２７２2）、または前記第１の表示素子群(例えば、図２２のサブピクセル群２７１4)と前記第２の表示素子群（例えば、図１８のサブピクセル群２７２1）は、少なくとも１つの同一の表示素子（例えば、図１７のサブピクセル２６３5、図１８のサブピクセル２６１7）を含む
ことを特徴とする。
【００５３】
請求項６に記載の表示装置は、
入力された画像のデータに基づいて、より高い解像度の画像のデータを生成する画像生成手段(例えば、図１０の高密度画像生成部１２１)
をさらに備え、
前記表示制御手段は、前記画像生成手段により生成された解像度の高い画像のデータに基づいて、前記表示手段に前記画像を表示させる
ことを特徴とする。
【００５４】
請求項７に記載の表示制御方法は、
それぞれ異なる向きで隣接するように配置される複数の菱形の形状の表示素子(例えば、図１５のサブピクセル２６１乃至２６３)を備える表示装置(例えば、図１０の表示装置１０１)の表示制御方法において、
各表示素子を独立に駆動して画像を表示させる表示制御ステップ(例えば、図３０のステップＳ３)
を含むことを特徴とする。
【００５５】
請求項８に記載の表示装置（例えば、図５０の表示装置３５０）は、
複数の三角形の形状の表示素子(例えば、図５１のサブピクセル４１１乃至４１６)が、それぞれ異なる向きで隣接するように配置される表示手段(例えば、図５０の表示部３５２)と、
各表示素子を独立に駆動し、前記表示手段に画像を表示させる表示制御手段(例えば、図５０の表示制御部３５１)と
を備え、
前記表示制御手段は、隣接する６つの前記表示素子で構成される六角形の第１の表示素子群(例えば、図５２のサブピクセル群４２１)の単位、並びに隣接する８つの前記表示素子で構成される第２の表示素子群（例えば、図５２のサブピクセル群４２２）の単位で前記表示素子を駆動し、前記表示手段に前記画像を表示させる
ことを特徴とする。
【００５６】
請求項９に記載の表示装置は、
複数の前記第１の表示素子群（例えば、図５６のサブピクセル群４２１2と図５９のサブピクセル群４２１3）、複数の前記第２の表示素子群(例えば、図５７のサブピクセル群４２２3、図５８のサブピクセル群４２２4、図６５のサブピクセル群４２２9、図６７のサブピクセル群４２２10)、または前記第１の表示素子群(例えば、図５６のサブピクセル群４２１2)と前記第２の表示素子群(例えば、図５７のサブピクセル群４２２3)は、少なくとも１つの同一の表示素子（例えば、図５６のサブピクセル４１５7）を含む
ことを特徴とする。
【００５７】
請求項１０に記載の表示装置は、
入力された画像のデータに基づいて、より高い解像度の画像のデータを生成する画像生成手段(例えば、図５０の高密度画像生成部１２１)
をさらに備え、
前記表示制御手段は、前記画像生成手段により生成された解像度の高い画像のデータに基づいて、前記表示手段に前記画像を表示させる
ことを特徴とする。
【００５８】
請求項１１に記載の表示制御方法は、
それぞれ異なる向きで隣接するように配置される複数の三角形の形状の表示素子（例えば、図５１のサブピクセル群４１１乃至４１６）を備える表示装置(例えば、図５０の表示装置３５０)の表示制御方法において、
各表示素子を独立に駆動して画像を表示させる表示制御ステップ(例えば、図３０のステップＳ３)を含み、
前記表示制御ステップの処理は、隣接する６つの前記表示素子で構成される六角形の第１の表示素子群(例えば、図５２のサブピクセル群４２１)の単位、並びに隣接する８つの前記表示素子で構成される第２の表示素子群(例えば、図５２のサブピクセル群４２２)の単位で前記表示素子を駆動して前記画像を表示させる
ことを特徴とする。
【００５９】
以下、本発明を適用した具体的な実施の形態について、図面を参照しながら詳細に説明する。
【００６０】
図１０は、本発明を適用した表示装置の第１実施の形態の構成例を示すブロック図である。
【００６１】
図１０の表示装置１０１には、チューナ１１１、ビデオプレーヤ１１２、およびＰＣ（パーソナルコンピュータ）１１３が接続されている。
【００６２】
チューナ１１１は、地上波または衛星からの電波を受信して、放送されている番組の画像信号を取得し、取得した画像信号に対応するデジタルデータである画像データを表示装置１０１に入力する。
【００６３】
ビデオプレーヤ１１２は、ビデオテープなどの記録媒体に記録されている画像データを再生し、再生した画像データを表示装置１０１に入力する。
【００６４】
ＰＣ１１３は、リムーバブルメディアなどの記録媒体に記録されている画像データ、または内蔵しているハードディスクに記録されている画像データを再生し、再生した画像データを表示装置１０１に入力する。
【００６５】
表示装置１０１は、高密度画像生成部１２１、表示制御部１２２、および表示部１２３から構成され、チューナ１１１、ビデオプレーヤ１１２、またはＰＣ１１３から入力された画像データに基づいて、高密度画像の画像データを生成し、その生成した高密度画像の画像データに基づいて、高密度画像を表示する。
【００６６】
ここで、高密度画像とは、チューナ１１１、ビデオプレーヤ１１２、またはＰＣ１１３から入力された画像データに基づいて表示される画像のＮ（Ｎは任意の数）倍の解像度の画像をいう。換言すれば、高密度画像は、入力された画像データに基づいて表示される画像を、空間方向にＮ倍密にした画像である。
【００６７】
高密度画像生成部１２１は、チューナ１１１、ビデオプレーヤ１１２、またはＰＣ１１３から入力された画像データに基づいて、高密度画像の画像データを生成する。高密度画像生成部１２１は、生成した高密度画像の画像データを表示制御部１２２に供給する。
【００６８】
表示制御部１２２は、高密度画像生成部１２１から供給された高密度画像の画像データに基づいて、後述する表示部１２３を構成する複数のサブピクセル（表示素子）を駆動し、高密度画像を表示させる。表示部１２３は、それぞれが独立に駆動される菱形の形状の３つのサブピクセルからなる複数の画素セルから構成される。表示制御部１２２は、表示部１２３のサブピクセルを駆動することにより、サブピクセルに赤色、緑色、または青色を表示させる。その結果、表示部１２３には、高密度画像が表示される。
【００６９】
図１１は、図１０の高密度画像生成部１２１の詳細な構成例を示すブロック図である。
【００７０】
なお、ここでは、図１０のチューナ１１、ビデオプレーヤ１２、またはＰＣ１３から入力される画像データを、標準精細度の画像（ＳＤ（Standard Definition）画像）の画像データとし、高密度画像生成部１２１で生成される高密度画像の画像データを、高精細度の画像（ＨＤ（High Definition）画像）の画像データとする。
【００７１】
高密度画像生成部１２１は、マッピング処理部１３１およびタップ係数メモリ１３２により構成される。マッピング処理部１３１は、タップ係数メモリ１３２に記憶されているタップ係数および入力されたＳＤ画像の画像データに基づいて、ＨＤ画像の画像データを生成する。マッピング処理部１３１は、そのＨＤ画像の画像データを表示制御部１２２に供給する。
【００７２】
マッピング処理部１３１は、クラス分類部１４１、予測タップ取得部１４４、および予測演算部１４５により構成される。
【００７３】
クラス分類部１４１は、クラスタップ取得部１４２および波形分類部１４３で構成され、ＨＤ画像を構成する画素を順次注目画素とし、チューナ１１１、ビデオプレーヤ１１２、またはＰＣ１３から入力されたＳＤ画像の画像データに応じて、注目画素をクラス分類する。
【００７４】
クラスタップ取得部１４２は、入力されたＳＤ画像の各画素の画素値である画像データから、注目画素を幾つかのクラスのうちのいずれかのクラスにクラス分けするクラス分類を行うのに用いるＳＤ画像を構成する画素の画素値の幾つかをクラスタップとして取得し、波形分類部１４３に供給する。
【００７５】
波形分類部１４３は、クラス分類部１４２からのクラスタップを構成する画素の画素値に基づき、注目画素を複数のクラスのうちのいずれかのクラスに分類するクラス分類を行い、その結果得られるクラスに対応するクラス番号を発生して予測タップ取得部１４４に供給する。波形分類部１４３は、例えば、注目画素を５１２のクラスのうちの１つのクラスに分類し、分類したクラスに対応するクラス番号を予測タップ取得部１４４に供給する。
【００７６】
ここで、クラス分類を行う方法としては、例えば、ADRC(Adaptive Dynamic Range Coding)等を採用することができる。
【００７７】
ADRCを用いる方法では、クラスタップを構成する画素の画素値がADRC処理され、その結果得られるADRCコードにしたがって、注目画素のクラスが決定される。
【００７８】
なお、KビットADRCにおいては、例えば、クラスタップを構成する画素の画素値の最大値MAXと最小値MINが検出され、DR=MAX-MINを、集合の局所的なダイナミックレンジとし、このダイナミックレンジDRに基づいて、クラスタップを構成する画素値がKビットに再量子化される。即ち、クラスタップを構成する各画素の画素値から、最小値MINが減算され、その減算値がDR/2Kで除算（量子化）される。そして、以上のようにして得られる、クラスタップを構成するKビットの各画素の画素値を、所定の順番で並べたビット列が、ADRCコードとして出力される。従って、クラスタップが、例えば、１ビットADRC処理された場合には、そのクラスタップを構成する各画素の画素値は、最大値MAXと最小値MINとの平均値で除算され（小数点以下切り捨て）、これにより、各画素の画素値が１ビットとされる（２値化される）。そして、その１ビットの画素値を所定の順番で並べたビット列が、ADRCコードとして出力される。波形分類部１４３は、例えば、クラスタップをADRC処理して得られるADRCコードを、クラス番号として出力する。
【００７９】
なお、波形分類部１４３には、例えば、クラスタップを構成する画素の画素値のレベル分布のパターンを、そのままクラス番号として出力させることも可能である。しかしながら、この場合、クラスタップがＮ個の画素の画素値で構成され、各画素の画素値にＫビットが割り当てられているとすると、波形分類部１４３が出力するクラス番号の数は、（２N）K通りとなり、画素の画素値のビット数Ｋに指数的に比例した膨大な数となる。
【００８０】
従って、波形分類部１４３においては、クラスタップの情報量を、上述のADRC処理や、あるいはベクトル量子化等によって圧縮することにより、クラス分類を行うのが好ましい。
【００８１】
予測タップ取得部１４４は、入力されたＳＤ画像の画像データから、注目画素の画素値を予測するのに用いるＳＤ画像を構成する画素の画素値の幾つかを、予測タップとして取得する。予測タップ取得部１４４は、取得した予測タップおよび波形分類部１８２からのクラス番号を予測演算部１４５に供給する。
【００８２】
予測演算部１４５は、予測タップ取得部１４４からのクラス番号に基づいて、タップ係数メモリ１３２から、そのクラス番号のクラスに対応するタップ係数を読み出す。予測演算部１４５は、タップ係数と予測タップ取得部１４４からの予測タップとを用いて、注目画素の画素値の真値の予測値を求める所定の予測演算を行う。これにより、予測演算部１４５は、注目画素の画素値（の予測値）、即ちＨＤ画像を構成する画素の画素値を算出し、ＨＤ画像の画像データとして出力する。
【００８３】
タップ係数メモリ１３２は、後述する算出部によって求められたクラスごとのタップ係数を記憶する。
【００８４】
次に、図１２Ａと図１２Ｂを参照して、クラスタップと予測タップのタップ構造を説明する。
【００８５】
図１２Ａと図１２Ｂは、予測タップとクラスタップのタップ構造の例を示している。
【００８６】
図１２Ａは、クラスタップのタップ構造の例を示している。図１２Ａの例では、Ｐ１乃至Ｐ９の９個の画素で、クラスタップが構成されている。即ち、図１２Ａの例では、チューナ１１１、ビデオプレーヤ１１２、またはＰＣ１１３から入力されるＳＤ画像の画像データのうちの、注目画素に対応する画素Ｐ５の画素値と、その画素の上方向（Ｐ１，Ｐ２）、下方向（Ｐ８，Ｐ９）、左方向（Ｐ３，Ｐ４）、右方向（Ｐ６，Ｐ７）に隣接する２画素それぞれの画素値とから、いわば十字形状のクラスタップが構成されている。
【００８７】
図１２Ｂは、予測タップのタップ構造の例を示している。図１２Ｂの例では、１３個の画素の画素値で、予測タップが構成されている。即ち、図１２Ｂの例では、チューナ１１１、ビデオプレーヤ１１２、またはＰＣ１１３から入力されるＳＤ画像の画像データのうちの、注目画素に対応する画素を中心として縦方向に並ぶ５画素の画素値、注目画素に対応する画素の左と右に隣接する画素それぞれを中心として縦方向に並ぶ３画素の画素値、および注目画素に対応する画素から左と右に１画素置いた位置の画素それぞれの画素値から、いわば菱形状のクラスタップが構成されている。
【００８８】
次に、図１１の予測演算部１４５における予測演算と、その予測演算に用いられるタップ係数の学習について説明する。
【００８９】
いま、所定の予測演算として、例えば、線形１次予測演算を採用することとすると、ＨＤ画像の画素（以下、適宜、ＨＤ画素という）の画素値ｙは、次の線形１次式によって求められることになる。
【００９０】
【数１】
2006201485.tif 000003
・・・（１）
【００９１】
但し、式（１）において、ｘnは、ＨＤ画素（の画素値ｙ）についての予測タップを構成する、ｎ番目のＳＤ画像の画素（以下、適宜、ＳＤ画素という）の画素値を表し、ｗnは、ｎ番目のＳＤ画素（の画素値）と乗算されるｎ番目のタップ係数を表す。なお、式（１）では、予測タップが、Ｎ個のＳＤ画素ｘ1，ｘ2，・・・，ｘNで構成されるものとしてある。
【００９２】
ここで、ＨＤ画素の画素値ｙは、式（１）に示した線形１次式ではなく、２次以上の高次の式によって求めるようにすることも可能である。
【００９３】
いま、第ｋサンプルのＨＤ画素の画素値の真値をｙkと表すとともに、式（１）によって得られるその真値ｙkの予測値をｙk'と表すと、その予測誤差ｅkは、次式で表される。
【００９４】
【数２】
2006201485.tif 000004
・・・（２）
【００９５】
いま、式（２）の予測値ｙk'は、式（１）にしたがって求められるため、式（２）のｙk'を、式（１）にしたがって置き換えると、次式が得られる。
【００９６】
【数３】
2006201485.tif 000005
・・・（３）
【００９７】
但し、式（３）において、ｘn,kは、第ｋサンプルのＨＤ画素についての予測タップを構成するｎ番目のＳＤ画素の画素値を表す。
【００９８】
式（３）（または式（２））の予測誤差ｅkを０とするタップ係数ｗnが、ＨＤ画素の画素値を予測するのに最適なものとなるが、すべてのＨＤ画素について、そのようなタップ係数ｗnを求めることは、一般には困難である。
【００９９】
そこで、タップ係数ｗnが最適なものであることを表す規範として、例えば、最小自乗法を採用することとすると、最適なタップ係数ｗnは、次式で表される自乗誤差の総和Ｅを最小にすることで求めることができる。
【０１００】
【数４】
2006201485.tif 000006
・・・（４）
【０１０１】
但し、式（４）において、Ｋは、ＨＤ画素の画素値ｙkと、そのＨＤ画素（の画素値ｙk）についての予測タップを構成するＳＤ画素の画素値ｘ1,k，ｘ2,k，・・・，ｘN,kとのセットのサンプル数（学習用のサンプルの数）を表す。
【０１０２】
式（４）の自乗誤差の総和Ｅの最小値（極小値）は、式（５）に示すように、総和Ｅをタップ係数ｗnで偏微分したものを０とするｗnによって与えられる。
【０１０３】
【数５】
2006201485.tif 000007
・・・（５）
【０１０４】
そこで、上述の式（３）をタップ係数ｗnで偏微分すると、次式が得られる。
【０１０５】
【数６】
2006201485.tif 000008
・・・（６）
【０１０６】
式（５）と式（６）から、次式が得られる。
【０１０７】
【数７】
2006201485.tif 000009
・・・（７）
【０１０８】
式（７）のｅkに、式（３）を代入することにより、式（７）は、式（８）に示す正規方程式で表すことができる。
【０１０９】
【数８】
2006201485.tif 000010
・・・（８）
【０１１０】
式（８）の正規方程式は、例えば、掃き出し法（Gauss-Jordanの消去法）などを用いることにより、タップ係数ｗnについて解くことができる。
【０１１１】
式（８）の正規方程式をクラスごとにたてて解くことにより、最適なタップ係数（ここでは、自乗誤差の総和Ｅを最小にするタップ係数）ｗnを、クラスごとに求めることができる。
【０１１２】
図１３は、式（８）の正規方程式をたてて解くことによりクラスごとのタップ係数ｗnを算出する学習を行う算出部１５０の構成例を示している。
【０１１３】
算出部１５０には、タップ係数ｗnの学習に用いられる学習用のＨＤ画像の画像データが入力される。
【０１１４】
ＨＤ画像フレームメモリ１５１は、入力されたＨＤ画像の画像データを記憶する。ＨＤ画像フレームメモリ１５１は、記憶しているＨＤ画像の画像データを加重平均部１５２および学習部１５４に供給する。
【０１１５】
加重平均部１５２は、ＨＤ画像フレームメモリ１５１から供給されるＨＤ画像の各画素の画素値である画像データから、隣接するＮ個の画素を１単位として、各単位のＮ個の画素の画素値を加算し、その結果得られる値をＮで除算する。即ち、加重平均部１５２は、ＨＤ画像の画像データに対して、Ｎ分の１加重平均を行う。そして、加重平均部１５２は、Ｎ分の１加重平均の結果得られる画像データを、入力されたＨＤ画像の画像データに対応するＳＤ画像の画像データとして、ＳＤ画像フレームメモリ１５３に供給する。
【０１１６】
ＳＤ画像フレームメモリ１５３は、加重平均部１５２から供給されるＳＤ画像の画像データを記憶する。ＳＤ画像フレームメモリ１５３は、記憶しているＳＤ画像の画像データを学習部１５４に供給する。
【０１１７】
学習部１５４は、ＨＤ画像フレームメモリ１５１から供給されるＨＤ画像の画像データ、およびＳＤ画像フレームメモリ１５３から供給される、そのＨＤ画像に対応するＳＤ画像の画像データに基づいてタップ係数ｗnを生成し、そのタップ係数ｗnをタップ係数メモリ１５５に供給する。タップ係数メモリ１５５は、学習部１５４から供給されたタップ係数ｗnを記憶する。
【０１１８】
図１４は、図１３の学習部１５４の詳細構成例を示すブロック図である。
【０１１９】
学習部１５４は、クラス分類部１６１、予測タップ取得部１６２、注目画素取得部１６３、正規方程式生成部１６４、および係数計算部１６５により構成されている。
【０１２０】
クラスタップ分類部１６１は、クラスタップ取得部１８１と波形分類部１８２により構成される。クラスタップ取得部１８１は、ＨＤ画像を構成する画素を順次注目画素とし、その注目画素について、ＳＤ画像フレームメモリ１５３から供給されるＳＤ画像の画像データであるＳＤ画像を構成する各画素の画素値のうちの所定のものを抽出することにより、図１１のクラスタップ取得部１４２が構成するのと同一のタップ構造のクラスタップを構成し、波形分類部１８２に供給する。
【０１２１】
波形分類部１８２は、クラスタップ取得部１８１からのクラスタップに基づき、図１１の波形分類部１４３と同一のクラス分類を行い、その結果得られるクラスに対応するクラス番号を、予測タップ取得部１６２に供給する。
【０１２２】
予測タップ取得部１６２は、注目画素について、ＳＤ画像フレームメモリ１５３から供給されるＳＤ画像の画像データであるＳＤ画像の各画素の画素値のうち所定のものを抽出することにより、図１１の予測タップ取得部１４４と同一のタップ構造の予測タップを構成し、注目画素取得部１６３に供給する。また、予測タップ取得部１６２は、波形分類部１８２からのクラス番号を注目画素取得部１６３に供給する。
【０１２３】
注目画素取得部１６３は、ＨＤ画像フレームメモリ１５１から供給されるＨＤ画像の画像データから、注目画素の画素値を抽出する。注目画素取得部１６３は、その注目画素の画素値、並びに予測タップ取得部１６２から供給される予測タップおよびクラス番号を、正規方程式生成部１６４に供給する。
【０１２４】
正規方程式生成部１６４は、注目画素取得部１６３からの注目画素の画素値と予測タップとを対象とした足しこみを、注目画素取得部１６３からのクラス番号ごとに行う。
【０１２５】
即ち、正規方程式生成部１６４には、ＨＤ画像フレームメモリ１５１に記憶されたＨＤ画像の画像データｙk、予測タップｘn,k、およびクラス番号が供給される。
【０１２６】
そして、正規方程式生成部１６４は、注目画素取得部１６３から供給されるクラス番号に対応するクラスごとに、予測タップｘn,kを用い、式（８）の左辺の行列におけるＳＤ画像の画像データどうしの乗算（ｘn,kｘn',k）と、サメーション（Σ）に相当する演算を行う。
【０１２７】
さらに、正規方程式生成部１６４は、やはり、注目画素取得部１６３から供給されるクラス番号に対応するクラスごとに、予測タップｘn,kとＨＤ画像の画像データｙkを用い、式（８）の右辺のベクトルにおける予測タップｘn,kおよびＨＤ画像の画像データｙkの乗算（ｘn,kｙk）と、サメーション（Σ）に相当する演算を行う。
【０１２８】
即ち、正規方程式生成部１６４は、前回、注目画素とされた画素のＨＤ画像の画像データについて求められた式（８）における左辺の行列のコンポーネント（Σｘn,kｘn',k）と、右辺のベクトルのコンポーネント（Σｘn,kｙk）を、その内蔵するメモリ（図示せず）に記憶しており、その行列のコンポーネント（Σｘn,kｘn',k）またはベクトルのコンポーネント（Σｘn,kｙk）に対して、新たに注目画素とされた画素のＨＤ画像の画像データについて、そのＨＤ画像の画像データｙk+1およびＳＤ画像の画像データｘn,k+1を用いて計算される、対応するコンポーネントｘn,k+1ｘn',k+1またはｘn,k+1ｙk+1を足し込む（式（８）のサメーションで表される加算を行う）。
【０１２９】
そして、正規方程式生成部１６４は、ＨＤ画像を構成する画素すべてを注目画素として、上述の足し込みを行うことにより、各クラスについて、式（８）に示した正規方程式をたてると、その正規方程式を、係数計算部１６５に供給する。
【０１３０】
係数計算部１６５は、正規方程式生成部１６４から供給される各クラスについての正規方程式を解くことにより、各クラスについて、最適なタップ係数ｗnを求めて出力する。
【０１３１】
図１１のタップ係数メモリ１３２には、例えば、以上のようにして求められたクラスごとのタップ係数ｗnが記憶されている。
【０１３２】
次に、図１５は、図１０の表示部１２３を構成する画素セルの例を示している。なお、図中、Ｒ，Ｇ，Ｂは、それぞれ赤色、緑色、青色を表している。
【０１３３】
図１５に示すように、画素セル２５１は、同一のサイズの菱形（４辺の長さが同一であり、対向する辺が平行であり、一方の対向する２つの角は６０度であり、他方の対向する２つの角は１２０度である４角形）の形状のサブピクセル２６１乃至２６３から構成される。サブピクセル２６１は緑色を、サブピクセル２６２は青色を、サブピクセル２６３は赤色をそれぞれ表示する。画素セル２５１には、サブピクセル２６１乃至２６３がそれぞれ異なる（サブピクセル２６１はその頂点間の距離のうち長い方の軸(以下、長軸という)が垂直となり、サブピクセル２６２はその長軸が３０度右下がりの方向となり、サブピクセル２６３はその長軸が３０度右上がりの方向となり、３つの長軸が正三角形を構成する）向きで隣接するように配列され、画素セル２５１は正六角形の形状となっている。画素セル２５１のサブピクセル２６１乃至２６３のこの配列をヘキサ配列という。
【０１３４】
なお、図１５では、サブピクセル２６１乃至２６３それぞれの菱形の一辺の長さが1.862、平行な辺同士の距離（長さ）が1.612となっており、サブピクセル２６１乃至２６３それぞれの面積（サイズ）は、約３（＝1.862×1.612）である。
【０１３５】
図１０の表示部１２３は、複数の画素セル２５１により構成され、表示制御部１２２は、高密度画像生成部１２１からの高密度画像の画像データに基づいて、表示部１２３のサブピクセル２６１乃至２６３を独立に駆動し、サブピクセル２６１に緑色を、サブピクセル２６２に青色を、サブピクセル２６３に赤色をそれぞれ表示させることにより、表示部１２３にフルカラーの高密度画像を表示させる。
【０１３６】
なお、以下では、複数の画素セル２５１を区別する場合、各画素セル２５１を画素セル２５１m（ｍは任意の数）という。また、画素セル２５１mを構成するサブピクセル２６１乃至２６３を、サブピクセル２６１m乃至２６３mという。
【０１３７】
図１６乃至図３０を参照して、表示制御部１２２が表示部１２３を構成するサブピクセル２６１乃至２６３を駆動する第１の駆動方法について説明する。
【０１３８】
図１６に示すように、第１の駆動方法では、隣接する３つのサブピクセルが正六角形状に組み合わされたサブピクセル群、または隣接する２つずつのサブピクセルが線対称にやっこ形（バタフライ形）に組み合わされた４個のサブピクセルからなるサブピクセル群のいずれかで画像の単位としての１画素が表示される。例えば、表示制御部１２２は、画素セル２５１1を構成するサブピクセル２６１1乃至２６３1をそれぞれ独立に駆動し、高密度画像の単位としての１画素を表示させる。なお、以下では、１画素を表示する正六角形状のサブピクセル２６１乃至２６３の集まりを、サブピクセル群２７１という。例えば、図１６では、サブピクセル群２７１は、サブピクセル２６１1乃至２６３1から構成される。
【０１３９】
また、表示制御部１２２は、例えば、画素セル２５１2のサブピクセル２６２2とサブピクセル２６３2、画素セル２５１2の右上に隣接する画素セル２５１3のサブピクセル２６１3、並びに画素セル２５１2の右下（画素セル２５１3の下）に隣接する画素セル２５１4のサブピクセル２６１4を、それぞれ駆動し、高密度画像の１画素を表示させる。
【０１４０】
なお、以下では、右斜め上方向に相互に隣接する２つのサブピクセル、並びにそれらに対して線対称に、右斜め下方向に相互に隣接する２つのサブピクセルの合計４つのサブピクセルからなるやっこ形（バタフライ形）のサブピクセルの集まりを、サブピクセル群２７２という。例えば、図１６では、サブピクセル群２７２は、相互に右斜め上方向に隣接するサブピクセル２６２2とサブピクセル２６１3、並びにそれらと水平対象となる相互に右斜め下方向に隣接するサブピクセル２６３2とサブピクセル２６１4から構成される。
【０１４１】
サブピクセル群２７１とサブピクセル群２７２が、同一の値の画素を表示する場合、サブピクセル２６１3とサブピクセル２６１4にそれぞれ表示される緑色の輝度は、サブピクセル２６１1に表示される緑色の輝度の半分である。即ち、サブピクセル２６１3とサブピクセル２６１4にそれぞれ表示される緑色の輝度の和は、サブピクセル２６１1に表示される緑色の輝度に等しい。
【０１４２】
なお、以下では、複数のサブピクセル群２７１を個々に区別する必要がある場合、各サブピクセル群２７１をサブピクセル群２７１mといい、複数のサブピクセル群２７２を個々に区別する必要がある場合、各サブピクセル群２７２をサブピクセル群２７２mという。
【０１４３】
図１６に示されるように、第１の駆動方法では、表示制御部１２２は、正六角形のサブピクセル群２７１とやっこ形のサブピクセル群２７２からなる８つのパターンのいずれかで画素を順次表示させることにより、表示部１２３に高密度画像を表示させる。
【０１４４】
具体的には、第１の駆動方法では、例えば、まず最初に、図１７に示すように、表示制御部１２２は、画素セル２５１5のサブピクセル２６１5乃至２６３5をそれぞれ駆動し、サブピクセル２６１5乃至２６３5からなる正六角形のサブピクセル群２７１1に、高密度画像の１画素を表示させる。
【０１４５】
次に、表示制御部１２３は、図１８に示すように、画素セル２５１5のサブピクセル２６２5とサブピクセル２６３5、画素セル２５１5の右上に隣接する画素セル２５１6のサブピクセル２６１6、並びに画素セル２５１5の右下（画素セル２５１6の下）に隣接する画素セル２５１7のサブピクセル２６１7をそれぞれ駆動し、サブピクセル２６２5，２６３5，２６１6、およびサブピクセル２６１7からなるやっこ形のサブピクセル群２７２1に、高密度画像の１画素を表示させる。
【０１４６】
さらに、表示制御部１２３は、図１９に示すように、画素セル２５１6のサブピクセル２６１6とサブピクセル２６３6、並びに画素セル２５１7のサブピクセル２６１7とサブピクセル２６２7の各サブピクセルをそれぞれ駆動し、それらからなるやっこ形のサブピクセル群２７２2に１画素を表示させる。図１９のサブピクセル群２７２2の形状は、図１８のサブピクセル群２７２1を左右反転した形状となっている。
【０１４７】
次に、表示制御部１２２は、図２０に示すように、画素セル２５１6のサブピクセル２６３6、画素セル２５１7のサブピクセル２６２7、並びに画素セル２５１6の右下(画素セル２５１7の右上)に隣接する画素セル２５１8のサブピクセル２６１8の各サブピクセルをそれぞれ駆動し、それらからなる正六角形のサブピクセル群２７１2に高密度画像の１画素を表示させる。
【０１４８】
第１の駆動方法では、表示制御部１２２は、以上のような各サブピクセル２６１乃至２６３の駆動を繰り返し行うことにより、表示部１２３に、高密度画像の水平方向（図中横方向）の所定の水平ライン＃ｌ（上からｌ番目の水平ライン）の画素を表示させる。
【０１４９】
表示制御部１２２は、高密度画像の水平ライン＃ｌを表示させた後、水平ライン＃ｌ＋１を表示させる。
【０１５０】
具体的には、表示制御部１２２は、図２１に示すように、画素セル２５１5のサブピクセル２６３5、画素セル２５１7のサブピクセル２６１7、および画素セル２５１5の下(画素セル２５１7の左下)に隣接する画素セル２５１9のサブピクセル２６２9の各サブピクセルをそれぞれ駆動し、それらからなる正六角形のサブピクセル群２７１3に高密度画像の１画素を表示させる。
【０１５１】
次に、表示制御部１２２は、図２２に示すように、画素セル２５１7のサブピクセル２６１7乃至２６３7からなる正六角形のサブピクセル群２７１4の各サブピクセルをそれぞれ駆動し、サブピクセル群２７１4に高密度画像の１画素を表示させる。
【０１５２】
さらに、表示制御部１２２は、図２３に示すように、画素セル２５１7のサブピクセル２６２7とサブピクセル２６３7、画素セル２５１8のサブピクセル２６１8、並びに画素セル２５１7の右下（画素セル２５１8の下）に隣接する画素セル２５１10のサブピクセル２６１10の各サブピクセルをそれぞれ駆動し、それらからなるやっこ形のサブピクセル群２７２3に高密度画像の１画素を表示させる。
【０１５３】
次に、表示制御部１２２は、図２４に示すように、画素セル２５１8のサブピクセル２６１8とサブピクセル２６３8、並びに画素セル２５１10のサブピクセル２６１10とサブピクセル２６２10からなるやっこ形のサブピクセル群２７２4の各サブピクセルをそれぞれ駆動し、サブピクセル群２７２4に高密度画像の１画素を表示させる。
【０１５４】
以上のような各サブピクセル２７１乃至２７３の駆動が繰り返し行われることにより、表示部１２３に高密度画像の水平ライン＃ｌ＋１の画素が表示される。
【０１５５】
このように、この実施の形態においては、各画素が異なる形状のサブピクセル群２７１，２７２により表示されるので、各画素の表示位置は、各サブピクセル群の重心として認識される。
【０１５６】
そこで、図２５乃至図２８を参照して、サブピクセル群２７１とサブピクセル群２７２の重心について説明する。
【０１５７】
図２５に示すように、サブピクセル群２７１の重心は、正六角形の中心Ａである。
【０１５８】
サブピクセル群２７２の重心について、図２６乃至図２８を参照して説明する。なお、図２６乃至図２８では、サブピクセル群２７２2（図１９）の重心について説明する。
【０１５９】
図２６に示すように、例えば、サブピクセル群２７２2を構成する菱形形状のサブピクセル２６１6，２６３6，２６２7、および２６１7の重心は、それぞれその中心の点Ｂ乃至Ｅである。
【０１６０】
従って、図２７に示すように、点Ｂと点Ｃを結ぶ直線ＢＣの中点を点Ｆ、点Ｄと点Ｅを結ぶ直線ＤＥの中点を点Ｇとすると、図２８に示すように、サブピクセル群２７２2の重心Ｈは、点Ｆと点Ｇを結ぶ直線ＦＧの中点となる。この重心Ｈは、サブピクセル２６３6の下辺の左端から、菱形の１辺の3/8の長さに位置している。
【０１６１】
以上のように、サブピクセル群２７１の重心Ａとサブピクセル群２７２の重心Ｈは、それぞれ異なる位置にある。
【０１６２】
上述した図１７乃至図２４で説明したように、第１の駆動方法では、表示制御部１２２は、サブピクセル群２７１またはサブピクセル群２７２を構成する各サブピクセル２６１乃至２６３をそれぞれ駆動し、サブピクセル群２７１またはサブピクセル群２７２に高密度画像の１画素を表示させる。従って、例えば、画素セル２５１7には、図２９に示すように、サブピクセル群２７１4の重心Ａ１とサブピクセル群２７１2の重心Ａ２、並びにサブピクセル群２７２2の重心Ｈ１とサブピクセル群２７２3の重心Ｈ２が含まれる。即ち、画素セル２５１には、サブピクセル群２７１とサブピクセル群２７２（により表示される高密度画像の画素）の重心Ａと重心Ｈが２つずつ含まれる。
【０１６３】
これに対して、例えば、従来の画素セル（例えば、図１の画素セル１）単位で表示が制御される表示装置では、１つの画素セルにより、画像の１画素が表示される。即ち、画素セルに含まれる画像の画素の重心は１つとなる。
【０１６４】
画素の重心は、画像の１つの画素に対して１つだけ存在するので、画素セル２５１に含まれる重心の数は、画素セル２５１に表示される画素の数を表しているといえる。図２９に示すように、画素セル２５１には、水平方向（図中左右方向）の異なる位置に、重心Ａ１と重心Ａ２、並びに重心Ｈ１と重心Ｈ２の４つの重心が含まれ、垂直方向（図中上下方向）の異なる位置に、重心Ｈ１（Ａ１）と重心Ｈ２（Ａ２）の２つの重心が含まれる。
【０１６５】
また、例えば、従来の画素セル１の大きさは３であり、画素セル２５１の大きさと同一である。従って、画素セル２５１から構成される表示部１２３に表示される高密度画像は、従来の画素セル１単位で表示が制御される表示装置に比べて、水平方向の精細度（水平精細度）が４倍、垂直方向の精細度（垂直精細度）が２倍の画像となる。
【０１６６】
即ち、表示部１２３では、水平方向の解像度が４倍密であり、垂直方向の解像度が２倍密である高密度画像を表示させることができる。この場合、高密度画像生成部１２１では、チューナ１１１、ビデオプレーヤ１１２、またはＰＣ１１３から入力された、例えば、画素セル１単位で表示が制御される場合に適した画像（ＳＤ画像）に基づいて、水平方向の解像度を４倍密に、垂直方向の解像度を２倍密にした高密度画像（ＨＤ画像）が生成される。
【０１６７】
以上のように、表示制御部１２２が第１の駆動方法で駆動を行う場合、表示装置１０１では、従来の画素セル１単位で表示が制御される表示装置に比べて、表示部１２３に表示する画像の解像度を向上させることができる。また、従来の画素セル１単位で表示が制御される表示装置に比べて、水平精細度が３倍の画像が表示可能なサブピクセル１１乃至１３（図１）単位で表示が制御される表示装置、あるいは垂直精細度と水平精細度が２倍の画像が表示可能なサブピクセル３１乃至３３（図４）またはサブピクセル５１乃至５３（図５）単位で表示が制御される表示装置に比べても、表示部１２３に表示する画像の解像度を向上させることができる。その結果、表示装置１０１では、表示する画像の滑らかさを向上させることができる。
【０１６８】
画素セル２５１を構成するサブピクセル２６１乃至２６３の大きさは、従来のサブピクセル１１乃至１３(図１)、サブピクセル３１乃至３３（図４）、またはサブピクセル５１乃至５３（図５）と同一の大きさである。
【０１６９】
従って、図１５の画素セル２５１から構成される表示部１２３を備える表示装置１０１では、半導体の微細化技術を用いずに、表示する画像の滑らかさを向上させることができる。即ち、表示装置１０１では、半導体を微細化するために必要な非常に高額な開発資金の投資と、高額な設備投資を行わずに、より滑らかな画像を表示させることができる。
【０１７０】
また、画素セル２５１の大きさが、従来の画素セル１（２１，４１）と同一の大きさであるので、表示部１２３を構成する画素セル２５１の数は増加しない。従って、画素セル２５１の特性によって製造段階で生じる表示部１２３の不良率は悪化しない。さらに、画素セル２５１の数が増加することによるサブピクセル２６１乃至２６３の駆動周波数の増加が生じず、消費電力は増加しない。即ち、表示装置１０１では、表示部１２３の不良率の悪化や消費電力の増加を生じさせずに、より滑らかな画像を表示させることができる。
【０１７１】
次に、図３０を参照して、図１０の表示装置１０１が表示部１２３に高密度画像を表示させる表示処理を説明する。この表示処理は、例えば、チューナ１１１、ビデオプレーヤ１１２、またはＰＣ１１３から、画像データが入力されたとき、開始される。
【０１７２】
ステップＳ１において、高密度画像生成部１２１は、チューナ１１１、ビデオプレーヤ１１２、またはＰＣ１１３から、入力された画像データを取得する。
【０１７３】
次に、ステップＳ２において、高密度画像生成部１２１は、上述した図１１乃至図１４で説明したように、ステップＳ１で取得した画像データから、高密度画像の画像データを生成する。具体的には、例えば、高密度画像生成部１２１が、画素セル１単位で表示が制御される場合に適したＳＤ画像を取得した場合、そのＳＤ画像の画像データに基づいて、水平方向の解像度を４倍密に、垂直方向の解像度を２倍密にした高密度画像の画像データを生成する。そして、高密度画像生成部１２１は、生成した高密度画像の画像データを、表示制御部１２２に供給する。
【０１７４】
なお、高密度画像生成部１２１が、チューナ１１１、ビデオプレーヤ１１２、またはＰＣ１１３から、表示部１２３の表示に適した高密度画像を取得した場合、ステップＳ２の処理はスキップされる。この場合、表示装置１０１には、高密度画像生成部１２１が設けられないようにしてもよい。
【０１７５】
ステップＳ２の処理後は、処理はステップＳ３に進み、表示制御部１２２は、高密度画像生成部１２１から供給された高密度画像の画像データに基づいてサブピクセルを駆動する。具体的には、各サブピクセル２６１乃至２６３がサブピクセル群２７１またはサブピクセル群２７２単位で駆動され、表示部１２３に高密度画像が表示される。
【０１７６】
例えば、表示制御部１２２は、図１６乃至図２４で説明した第１の駆動を行い、表示部１２３に高密度画像を表示させる。
【０１７７】
次に、図３１乃至図４９を参照して、表示制御部１２２が表示部１２３を構成するサブピクセル２６１乃至２６３を駆動する第２の駆動方法について説明する。
【０１７８】
図３１に示すように、第２の駆動方法では、上述した図１６で説明したサブピクセル群２７１とサブピクセル群２７２のほかに、サブピクセル群２７２を回転させた形状のやっこ形のサブピクセル群３０１とサブピクセル群３０２においても、高密度画像の１画素が表示される。
【０１７９】
サブピクセル群３０１は、２つのサブピクセル２６２、並びに１つのサブピクセル２６１と１つのサブピクセル２６３により構成されるやっこ形のサブピクセル群であり、サブピクセル群３０２は、２つのサブピクセル２６３、並びに１つのサブピクセル２６１と１つのサブピクセル２６２により構成されるやっこ形のサブピクセル群である。
【０１８０】
図３１に示すように、第２の駆動方法では、図１０の表示制御部１２２は、例えば、画素セル２５１11のサブピクセル２６２11、画素セル２５１11の右上に隣接する画素セル２５１12のサブピクセル２６１12とサブピクセル２６３12、並びに画素セル２５１11の右下（画素セル２５１12の下）に隣接する画素セル２５１13のサブピクセル２６２13からなるサブピクセル群３０１の各サブピクセルを、それぞれ駆動し、高密度画像の１画素を表示させる。
【０１８１】
なお、サブピクセル群２７１とサブピクセル群３０１が、同一の値の画素を表示する場合、サブピクセル２６２11とサブピクセル２６２13にそれぞれ表示される青色の輝度は、サブピクセル２６２1に表示される青色の輝度の半分である。即ち、サブピクセル２６２11とサブピクセル２６２13にそれぞれ表示される青色の輝度の和は、サブピクセル２６２1に表示される青色の輝度に等しい。
【０１８２】
また、図３１に示すように、第２の駆動方法では、図１０の表示制御部１２２は、例えば、画素セル２５１14のサブピクセル２６２14とサブピクセル２６３14、並びに画素セル２５１14の右上に隣接する画素セル２５１15のサブピクセル２６１15とサブピクセル２６３15からなるサブピクセル群３０２の各サブピクセルを、それぞれ駆動し、高密度画像の１画素を表示させる。
【０１８３】
なお、サブピクセル群２７１とサブピクセル群３０２が、同一の値の画素を表示する場合、サブピクセル２６３14とサブピクセル２６３15にそれぞれ表示される赤色の輝度は、サブピクセル２６３1に表示される赤色の輝度の半分である。即ち、サブピクセル２６３14とサブピクセル２６３15にそれぞれ表示される赤色の輝度の和は、サブピクセル２６３1に表示される赤色の輝度に等しい。
【０１８４】
また、以下では、複数のサブピクセル群３０１を個々に区別する必要がある場合、各サブピクセル群３０１をサブピクセル群３０１mといい、複数のサブピクセル群３０２を個々に区別する必要がある場合、各サブピクセル群３０２をサブピクセル群３０２mという。
【０１８５】
第２の駆動方法では、表示制御部１２２は、正六角形のサブピクセル群２７１、並びにやっこ形のサブピクセル群２７２，３０１，３０２からなる１６個のパターンのいずれかで画素を順次表示させることにより、表示部１２３に高密度画像を表示させる。
【０１８６】
次に、図３２乃至図４７を参照して、第２の駆動方法を具体的に説明する。
【０１８７】
図３２乃至図３５のパターンは、上述した図１７乃至２０のパターンと同一であるため、説明は繰り返しになるので省略する。
【０１８８】
表示制御部１２２は、図３５に示すように、高密度画像の１画素を表示させた後、図３６に示すように、画素セル２５１5のサブピクセル２６１5とサブピクセル２６３5、画素セル２５１9のサブピクセル２６２9、並びに画素セル２５１5の左下（画素セル２５１9の左上）に隣接する画素セル２５１16のサブピクセル２６２16からなるやっこ形のサブピクセル群３０１1の各サブピクセルをそれぞれ駆動し、サブピクセル群３０１1に高密度画像の１画素を表示させる。ここで、サブピクセル群３０１1の形状は、図３３のサブピクセル群２７２1を時計回転方向に１２０度だけ回転させた形状となっている。
【０１８９】
次に、図３７に示すように、表示制御部１２２は、画素セル２５１5のサブピクセル２６２5とサブピクセル２６３5、並びに画素セル２６１7のサブピクセル２６１7とサブピクセル２６２7からなるやっこ形のサブピクセル群３０１2の各サブピクセルをそれぞれ駆動し、サブピクセル群３０１2に高密度画像の１画素を表示させる。
【０１９０】
さらに、表示制御部１２２は、図３８に示すように、画素セル２５１5のサブピクセル２６３5、画素セル２５１6のサブピクセル２６３6、並びに画素セル２５１7のサブピクセル２６１7とサブピクセル２６２7からなるやっこ形のサブピクセル群３０２1の各サブピクセルをそれぞれ駆動し、サブピクセル群３０２1に高密度画像の１画素を表示させる。サブピクセル群３０２1の形状は、図３３のサブピクセル群２７２1を半時計方向に１２０度だけ回転させた形状となっている。
【０１９１】
次に、表示制御部１２２は、図３９に示すように、画素セル２５１7のサブピクセル２６２7とサブピクセル２６３7、並びに画素セル２５１8のサブピクセル２６１8とサブピクセル２６３8からなるやっこ形のサブピクセル群３０２2の各サブピクセルをそれぞれ駆動し、サブピクセル群３０２2に高密度画像の１画素を表示させる。
【０１９２】
第２の駆動方法では、表示制御部１２２は、以上のような各サブピクセル２６１乃至２６３の駆動を繰り返し行うことにより、表示部１２３に高密度画像の水平ライン＃ｌの画素を表示させる。
【０１９３】
表示制御部１２２は、高密度画像の水平ライン＃ｌを表示させた後、水平ライン＃ｌ＋１の画素を表示させる。
【０１９４】
具体的には、表示制御部１２２は、図４０乃至図４３に示すように、高密度画像の１画素を順次表示させる。なお、図４０乃至図４３のパターンは、上述した図２１乃至図２４のパターンと同一であるので、説明は繰り返しになるので省略する。
【０１９５】
表示制御部１２２は、図４３に示すように、高密度画像の１画素を表示させた後、図４４に示すように、画素セル２５１5のサブピクセル２６３5、画素セル２５１9のサブピクセル２６１9とサブピクセル２６２9、並びに画素セル２５１16のサブピクセル２６３16からなるやっこ形のサブピクセル群３０２3の各サブピクセルをそれぞれ駆動し、サブピクセル群３０２3に高密度画像の１画素を表示させる。
【０１９６】
次に、表示制御部１２３は、図４５に示すように、画素セル２５１7のサブピクセル２６１7とサブピクセル２６３7、並びに画素セル２５１9のサブピクセル２６２9とサブピクセル２６３9からなるやっこ形のサブピクセル群３０２4の各サブピクセルをそれぞれ駆動し、サブピクセル群３０２4に高密度画像の１画素を表示させる。
【０１９７】
さらに、表示制御部１２２は、図４６に示すように、画素セル２５１7のサブピクセル２６１7とサブピクセル２６３7、画素セル２５１9のサブピクセル２６２9、並びに画素セル２５１7の下（画素セル２５１9の右下）に隣接する画素セル２５１17のサブピクセル２６２17からなるやっこ形のサブピクセル群３０１3の各サブピクセルをそれぞれ駆動し、サブピクセル群３０１3に高密度画像の１画素を表示させる。
【０１９８】
次に、表示制御部１２２は、図４７に示すように、画素セル２５１7のサブピクセル２６２7とサブピクセル２６３7、並びに画素セル２５１10のサブピクセル２６１10とサブピクセル２６２10からなるやっこ形のサブピクセル群３０１4の各サブピクセルをそれぞれ駆動し、サブピクセル群３０１4に高密度画像の１画素を表示させる。
【０１９９】
以上のような各サブピクセル２６１乃至２６３の駆動が繰り返し行われることにより、表示部１２３に高密度画像の水平ライン＃ｌ＋１の画素が表示される。
【０２００】
次に、図４８を参照して、表示制御部１２２が第２の駆動方法で各サブピクセル２６１乃至２６３を駆動した場合に、画素セル２５１7に含まれるサブピクセル群２７１，２７２，３０１、または３０２の重心について説明する。
【０２０１】
サブピクセル群３０１とサブピクセル群３０２は、サブピクセル群２７１と同一のやっこ形の形状であるので、サブピクセル群３０１とサブピクセル群３０２の重心は、サブピクセル群２７１の重心Ｈ（図２８）と同一の位置にある。
【０２０２】
図４８に示すように、画素セル２５１7には、サブピクセル群２７１4の重心Ａ１とサブピクセル群２７１2の重心Ａ２、並びにサブピクセル群２７２2の重心Ｈ１とサブピクセル群２７２3の重心Ｈ２のほかに、サブピクセル群３０１3の重心Ｈ３とサブピクセル群３０１4の重心Ｈ４、並びにサブピクセル群３０２1の重心Ｈ５とサブピクセル群３０２2の重心Ｈ６が含まれる。
【０２０３】
即ち、画素セル２５１7には、水平方向（図中左右方向）の異なる位置に、重心Ｈ３（Ｈ５），Ｈ１，Ａ１，Ａ２，Ｈ２、およびＨ４（Ｈ６）の６つの重心が含まれ、垂直方向（図中上下方向）の異なる位置に、重心Ｈ１（Ａ２），Ｈ５，Ｈ６，Ｈ２（Ａ１），Ｈ４、Ｈ３の６つの重心が含まれるので、表示制御部１２２が第２の駆動方法で各サブピクセル２６１乃至２６３を駆動する場合、画素セル２５１から構成される表示部１２３に表示される高密度画像は、従来の画素セル１単位で表示が制御される表示装置に比べて、水平精細度と垂直精細度がそれぞれ６倍の画像となる。
【０２０４】
換言すれば、表示部１２３では、水平方向の解像度が６倍密であり、垂直方向の解像度が６倍密である高密度画像を表示させることができる。この場合、高密度画像生成部１２１では、チューナ１１１、ビデオプレーヤ１１２、またはＰＣ１１３から入力される、画素セル１単位で表示が制御される場合に適した画像（ＳＤ画像）に基づいて、水平方向の解像度を６倍密に、垂直方向の解像度を６倍密にした高密度画像（ＨＤ画像）が生成される。
【０２０５】
以上のように、図１５の表示装置１０１では、表示制御部１２２が第２の駆動方法で駆動を行う場合、第１の駆動方法で駆動を行う場合に比べて、表示部１２３に表示される画像の解像度をさらに向上させることができる。その結果、表示装置１０１では、表示部１２３に表示される画像の滑らかさを、さらに向上させることができる。
【０２０６】
次に、図４９を参照して、表示制御部１２２が第２の駆動方法で駆動を行う場合に、表示部１２３に表示される高密度画像について説明する。図４９では、表示部１２３に文字「０」の高密度画像が表示されている。
【０２０７】
表示制御部１２２が第２の駆動方法で駆動を行う場合、表示装置１０１には、従来の画素セル１単位で表示が制御される表示装置に比べて、水平精細度と垂直精細度が６倍の高密度画像が表示される。従って、図４９に示すように、従来の画素セル１単位で表示が制御される表示装置に表示される図６の画像に比べて、表示装置１０１に表示される画像の滑らかさは向上している。
【０２０８】
また、水平精細度が３倍の画像が表示可能なサブピクセル１１乃至１３（図１）単位で表示が制御される表示装置に表示される図７の画像、あるいは垂直精細度と水平精細度が２倍の画像が表示可能なサブピクセル３１乃至３３（図４）単位またはサブピクセル５１乃至５３（図５）単位で表示が制御される表示装置に表示される図８または図９の画像に比べても、図４９に示した表示装置１０１に表示される画像の滑らかさは向上している。
【０２０９】
なお、図４９に示すように、表示部１２３に表示される文字「０」の高密度画像には、髭のように飛び出したサブピクセル３２１により表示されている部分がある。しかしながら、サブピクセル３２１は、サブピクセル群２５２、３０１、または３０２のいずれかに含まれるサブピクセルである。従って、サブピクセル３２１に表示される色の輝度は、サブピクセル群２５１を構成するサブピクセル２６１乃至２６３に表示される色の輝度の半分であり、サブピクセル３２１に表示される色は目立ちにくい。その結果、表示部１２３に表示される文字「０」の高密度画像は、自然な曲線の画像となる。
【０２１０】
図５０は、本発明を適用した表示装置の第２実施の形態の構成例を示すブロック図である。なお、図中、図１０における場合と対応する部分については、同一の符号を付してある。
【０２１１】
図５０の表示装置３５０では、表示制御部１２２と表示部１２３の代わりに、表示制御部３５１と表示部３５２が設けられている。表示制御部３５１は、高密度画像生成部１２１から供給された高密度画像の画像データに基づいて、表示部３５２を構成する複数のサブピクセルを独立に駆動し、高密度画像を表示させる。
【０２１２】
表示部３５２は、正三角形の形状の６つのサブピクセルからなる複数の画素セルから構成される。表示制御部３５１は、表示部１２３のサブピクセルを駆動することにより、サブピクセルに赤色、緑色、青色、黄色、マジェンダ、またはシアンを表示させる。その結果、表示部３５２には、高密度画像が表示される。
【０２１３】
図５１は、図５０の表示部３５２を構成する画素セルの例を示している。なお、図中、Ｒ，Ｇ，Ｂ、Ｃ，Ｍ，Ｙは、それぞれ赤色、緑色、青色、シアン、マジェンダ、黄色を表している。
【０２１４】
図５１に示すように、画素セル４０１は、同一のサイズの正三角形の形状のサブピクセル４１１乃至４１６から構成される。ここで、サブピクセル４１１乃至４１６それぞれのサイズは、図１５の画素セル２５１の菱形の形状のサブピクセル２６１乃至２６３の半分のサイズである。画素セル４０１には、サブピクセル４１１乃至４１６がそれぞれ異なる向きで(正三角形の底辺に垂直な線が、３０度、９０度、１５０度、２１０度、２７０度、または３３０度の各方向を指向するように)隣接するように配列され、画素セル４０１は正六角形の形状となっている。
【０２１５】
図５０の表示部３５２は、複数の画素セル４０１により構成され、表示制御部３５１は、高密度画像生成部１２１からの高密度画像の画像データに基づいて、表示部３５２のサブピクセル４１１乃至４１６を駆動し、サブピクセル４１１に緑色を、サブピクセル４１２にシアンを、サブピクセル４１３に青色を、サブピクセル４１４にマジェンダを、サブピクセル４１５に赤色を、サブピクセル４１６に黄色を、それぞれ表示させる。これにより、表示部３５２には、マルチカラーの高密度画像が表示される。
【０２１６】
なお、以下では、複数の画素セル４０１を区別する場合、各画素セル４０１を画素セル４０１mという。また、画素セル４０１mを構成するサブピクセル４１１乃至４１６を、サブピクセル４１１m乃至４１６mという。
【０２１７】
次に、図５２乃至図７０を参照して、表示制御部３５１が表示部３５２を構成するサブピクセル４１１乃至４１６を駆動する第３の駆動方法について説明する。なお、第３の駆動方法は、図１６乃至図３０で説明した第１の駆動方法に概ね似ているが、画素セル４０１を構成するサブピクセル４１１乃至４１６の数が増えたことで複雑になっている。
【０２１８】
即ち、第３の駆動方法では、高密度画像の１画素を表示するやっこ形のサブピクセル４１１乃至４１６の集まりの形状は、左右反転のみされる。また、正六角形のサブピクセル４１１乃至４１６の集まりの色の配列は、３種類（後述する図５３、図５６、および図５９に示す正六角形のサブピクセル４１１乃至４１６の集まりの色の配列の種類）である。さらに、右向きのやっこ形(図１８に示したサブピクセル群２７２1のやっこ形の形状)のサブピクセル４１１乃至４１６の集まりの色の配列は、３種類（後述する図５５、図５８、および図６１に示すやっこ形のサブピクセル４１１乃至４１６の集まりの色の配列の種類）であり、左向きのやっこ形（図１９に示したやっこ形の形状）のサブピクセル４１１乃至４１６の集まりの色の配列は、３種類(後述する図５４、図５７、および図６０に示すやっこ形のサブピクセル４１１乃至４１６の集まりの色の配列の種類)である。
【０２１９】
図５２に示すように、第３の駆動方法では、図５０の表示制御部３５１は、例えば、画素セル４０１1のサブピクセル４１１1乃至４１６1をそれぞれ独立に駆動し、高密度画像の１画素を表示する。なお、以下では、高密度画像の１画素を表示する正六角形状のサブピクセル４１１乃至４１６の集まりを、サブピクセル群４２１という。例えば、図５２では、サブピクセル群４２１は、サブピクセル４１１1乃至４１６1から構成される。
【０２２０】
また、表示制御部３５１は、例えば、画素セル４０１2のサブピクセル４１３2乃至４１６2、並びに画素セル４０１2の下に隣接する画素セル４０１3のサブピクセル４１１3乃至４１４3を、それぞれ駆動し、高密度画像の１画素を表示させる。
【０２２１】
なお、以下では、２つのサブピクセル４１３とサブピクセル４１４、並びに１つのサブピクセル４１１，４１２，４１５、および４１６の集まり、２つのサブピクセル４１２とサブピクセル４１５、並びに１つのサブピクセル４１１，４１３，４１４、および４１６の集まり、または２つのサブピクセル４１１とサブピクセル４１６、並びに１つのサブピクセル４１２乃至４１５の集まりを、サブピクセル群４２２という。例えば、図５２では、サブピクセル群４２２は、サブピクセル４１３2乃至４１６2、および４１１3乃至４１４3から構成される。
【０２２２】
また、サブピクセル群４２１とサブピクセル群４２２が、同一の値の画素を表示する場合、サブピクセル群４２２に含まれるサブピクセル４１１乃至４１６のうちの同一の色を表示する２つのサブピクセルで表示される色の輝度は、サブピクセル群４２１に含まれるサブピクセル４１１乃至４１６の対応する色を表示するサブピクセルで表示される色の輝度の半分である。
【０２２３】
なお、以下では、複数のサブピクセル群４２１を個々に区別する必要がある場合、各サブピクセル群を４２１mといい、複数のサブピクセル群４２２を個々に区別する必要がある場合、各サブピクセル群４２２をサブピクセル群４２２mという。
【０２２４】
第３の駆動方法では、表示制御部３５１は、正六角形のサブピクセル群４２１またはやっこ形のサブピクセル群４２２に高密度画像を構成する各画素を表示させることにより、表示部３５２に高密度画像を表示させる。
【０２２５】
具体的には、第３の駆動方法では、例えば、まず最初に、図５３に示すように、表示制御部３５１は、画素セル４０１4のサブピクセル４１１4乃至４１６4からなる正六角形のサブピクセル群４２１1の各サブピクセルをそれぞれ独立に駆動し、サブピクセル群４２１1に、高密度画像の１画素を表示させる。
【０２２６】
次に、表示制御部３５１は、図５４に示すように、画素セル４０１4のサブピクセル４１２4乃至４１５4、画素セル４０１4の上に隣接する画素セル４０１5のサブピクセル４１５5、画素セル４０１4の下に隣接する画素セル４０１6のサブピクセル４１２6、画素セル４０１4の右上に隣接する画素セル４０１7のサブピクセル４１６7、並びに画素セル４０１4の右下（画素セル４０１7の下）に隣接する画素セル４０１8のサブピクセル４１１8からなるやっこ形のサブピクセル群４２２1の各サブピクセルをそれぞれ駆動し、サブピクセル群４２２1に、高密度画像の１画素を表示させる。
【０２２７】
そして、表示制御部３５１は、図５５に示すように、画素セル４０１4のサブピクセル４１２4乃至４１５4、画素セル４０１7のサブピクセル４１１7とサブピクセル４１６7、並びに画素セル４０１8のサブピクセル４１１8とサブピクセル４１６8からなるやっこ形のサブピクセル群４２２2の各サブピクセルをそれぞれ駆動し、サブピクセル群４２２2に高密度画像の１画素を表示させる。
【０２２８】
次に、表示制御部３５１は、図５６に示すように、画素セル４０１4のサブピクセル４１３4とサブピクセル４１４4、画素セル４０１7のサブピクセル４１５7とサブピクセル４１６7、並びに画素セル４０１8のサブピクセル４１１8とサブピクセル４１２8からなる正六角形のサブピクセル群４２１2の各サブピクセルをそれぞれ駆動し、サブピクセル群４２１2に高密度画像の１画素を表示させる。
【０２２９】
そして、表示制御部３５１は、図５７に示すように、画素セル４０１7のサブピクセル４１１7、および４１４7乃至４１６7、並びに画素セル４０１8のサブピクセル４１１8乃至４１３8、および４１６8からなるやっこ形のサブピクセル群４２２3の各サブピクセルをそれぞれ駆動し、サブピクセル群４２２3に高密度画像の１画素を表示させる。
【０２３０】
次に、表示制御部３５１は、図５８に示すように、画素セル４０１7のサブピクセル４１３7乃至４１６7、並びに画素セル４０１8のサブピクセル４１１8乃至４１４8からなるやっこ形のサブピクセル群４２２4の各サブピクセルをそれぞれ駆動し、サブピクセル群４２２4に高密度画像の１画素を表示させる。
【０２３１】
そして、表示制御部３５１は、図５９に示すように、画素セル４０１7のサブピクセル４１４7とサブピクセル４１５7、画素セル４０１8のサブピクセル４１２8とサブピクセル４１３8、並びに画素セル４０１7の右下（画素セル４０１8の右上）に隣接する画素セル４０１9のサブピクセル４１１9とサブピクセル４１６9からなる正六角形のサブピクセル群４２１3の各サブピクセルをそれぞれ駆動し、サブピクセル群４２１3に高密度画像の１画素を表示させる。
【０２３２】
次に、表示制御部３５１は、図６０に示すように、画素セル４０１7のサブピクセル４１３7とサブピクセル４１４7、画素セル４０１8のサブピクセル４１３8とサブピクセル４１４8、並びに画素セル４０１9のサブピクセル４１１9，４１２9，４１５9、および４１６9からなるやっこ形のサブピクセル群４２２5の各サブピクセルをそれぞれ駆動し、サブピクセル群４２２5に高密度画像の１画素を表示させる。
【０２３３】
そして、表示制御部３５１は、図６１に示すように、画素セル４０１7のサブピクセル４１４7、画素セル４０１8のサブピクセル４１３8、画素セル４０１9のサブピクセル４１１9，４１２9，４１５9、および４１６9、画素セル４０１9の上に隣接する画素セル４０１10のサブピクセル４１５10、並びに画素セル４０１9の下に隣接する画素セル４０１11のサブピクセル４１２11からなるやっこ形のサブピクセル群４２２6の各サブピクセルをそれぞれ駆動し、サブピクセル群４２２6に高密度画像の１画素を表示させる。
【０２３４】
第３の駆動方法では、表示制御部３５１は、以上のような各サブピクセル４１１乃至４１６の駆動を繰り返し行うことにより、表示部３５２に高密度画像の水平ライン＃ｌの画素を表示させる。その後、表示制御部３５１は、高密度画像の水平ライン＃ｌ＋１の画素を表示させる。
【０２３５】
具体的には、図６２に示すように、表示制御部３５１は、画素セル４０１4のサブピクセル４１３4乃至４１６4、並びに画素セル４０１6のサブピクセル４１１6乃至４１４6からなるやっこ形のサブピクセル群４２２7の各サブピクセルをそれぞれ駆動し、サブピクセル群４２２7に、高密度画像の１画素を表示させる。
【０２３６】
次に、表示制御部３５１は、図６３に示すように、画素セル４０１4のサブピクセル４１４4とサブピクセル４１５4、画素セル４０１6のサブピクセル４１２6とサブピクセル４１３6、並びに画素セル４０１8のサブピクセル４１１8とサブピクセル４１６8からなる正六角形のサブピクセル群４２１4のサブピクセルをそれぞれ駆動し、サブピクセル群４２１4に、高密度画像の１画素を表示させる。
【０２３７】
そして、表示制御部３５１は、図６４に示すように、画素セル４０１4のサブピクセル４１３4とサブピクセル４１４4、画素セル４０１6のサブピクセル４１３6とサブピクセル４１４6、並びに画素セル４０１8のサブピクセル４１１8，４１２8，４１５8、および４１６8からなるやっこ形のサブピクセル群４２２8の各サブピクセルをそれぞれ駆動し、サブピクセル群４２２8に高密度画像の１画素を表示させる。
【０２３８】
次に、表示制御部３５１は、図６５に示すように、画素セル４０１4のサブピクセル４１４4、画素セル４０１6のサブピクセル４１３6、画素セル４０１7のサブピクセル４１５7、画素セル４０１8のサブピクセル４１１8，４１２8，４１５8、および４１６8、並びに画素セル４０１8の下に隣接する画素セル４０１12のサブピクセル４１２12からなるやっこ形のサブピクセル群４２２9の各サブピクセルをそれぞれ駆動し、サブピクセル群４２２9に高密度画像の１画素を表示させる。
【０２３９】
そして、表示制御部３５１は、図６６に示すように、画素セル４０１8のサブピクセル４１１8乃至４１６8からなる正六角形のサブピクセル群４２１5の各サブピクセルをそれぞれ駆動し、サブピクセル群４２１5に高密度画像の１画素を表示させる。
【０２４０】
次に、表示制御部３５１は、図６７に示すように、画素セル４０１7のサブピクセル４１５7、画素セル４０１8のサブピクセル４１２8乃至４１５8、画素セル４０１9のサブピクセル４１６9、画素セル４０１11のサブピクセル４１１11、並びに画素セル４０１12のサブピクセル４１２12からなるやっこ形のサブピクセル群４２２10の各サブピクセルをそれぞれ駆動し、サブピクセル群４２２10に高密度画像の１画素を表示させる。
【０２４１】
そして、表示制御部３５１は、図６８に示すように、画素セル４０１8のサブピクセル４１２8乃至４１５8、画素セル４０１9のサブピクセル４１１9とサブピクセル４１６9、並びに画素セル４０１11のサブピクセル４１１11とサブピクセル４１６11からなるやっこ形のサブピクセル群４２２11の各サブピクセルをそれぞれ駆動し、サブピクセル群４２２11に高密度画像の１画素を表示させる。
【０２４２】
次に、表示制御部３５１は、図６９に示すように、画素セル４０１8のサブピクセル４１３8とサブピクセル４１４8、画素セル４０１9のサブピクセル４１５9とサブピクセル４１６9、画素セル４０１11のサブピクセル４１１11とサブピクセル４１２11からなる正六角形のサブピクセル群４２１6の各サブピクセルをそれぞれ駆動し、サブピクセル群４２１6に高密度画像の１画素を表示させる。
【０２４３】
そして、表示制御部３５１は、図７０に示すように、画素セル４０１9のサブピクセル４１１9および４１４9乃至４１６9、並びに画素セル４０１11のサブピクセル４１１11乃至４１３11および４１６11からなるやっこ形のサブピクセル群４２２12の各サブピクセルをそれぞれ駆動し、サブピクセル群４２２12に高密度画像の１画素を表示させる。
【０２４４】
以上のような各サブピクセル４１１乃至４１６の駆動が繰り返し行われることにより、表示部３５２に高密度画像の水平ライン＃ｌ＋１の画素が表示される。
【０２４５】
図５２のサブピクセル群４２１は正六角形であるので、サブピクセル群４２１の重心は、サブピクセル群２７１の重心Ａ（図２５）と同一の位置に存在する。また、サブピクセル群４２２はやっこ形であるので、サブピクセル群４２２の重心は、サブピクセル群２７１の重心Ｈ（図２８）と同一の位置に存在する。
【０２４６】
従って、図示はしないが、表示制御部３５１が第３の駆動方法で駆動を行う場合、図５１の画素セル４０１には、水平方向に９つの重心が含まれ、垂直方向に２つの重心が含まれる。これにより、表示部３５２に表示される高密度画像は、従来の画素セル１単位で表示が制御される表示装置に比べて、水平精細度が９倍になり、垂直精細度が２倍の画像となる。
【０２４７】
以上のように、図５０の表示部３５２を構成する画素セル４０１のサブピクセル４１１乃至４１６それぞれの大きさが、図１５のサブピクセル２６１乃至２６３それぞれの大きさの半分であるので、第１の駆動方法に比べて、表示部３５２に高密度画像の１画素を表示するサブピクセル群４２１または４２２の数を多く配置することができる。即ち、画素セル４０１には、画素セル２５１に比べて、より多くの画素の重心が含まれる。その結果、表示装置３５０は、図１０の表示装置１０１に比べて、さらに滑らかな画像を表示させることができる。
【０２４８】
なお、図５２乃至図７０では、第１の駆動方法に対応する第３の駆動方法について説明したが、表示制御部３５１は、図３１乃至図４９で説明した第２の駆動方法に対応する第４の駆動方法を行うようにすることもできる。この場合、表示部３５２は、第３の駆動方法で駆動が行われる場合に比べて、さらに滑らかな画像を表示することができる。
【０２４９】
ところで、人間の持つ視覚の能力には方向性がある。例えば、人間は、斜め方向に広がった領域に比べて、垂直または水平方向に伸びた領域を図として認識しやすい（和田陽平、大山正、今井省吾編「感覚・知覚  心理学  ハンドブック」、誠信書房、p.469  「Rubin,Visuell wahrgenommene Figuren.Copenhagen:Gyldendalske，1921」参照）。
【０２５０】
従って、垂直または水平方向の線で構成された形状の画素は、斜めの線を含んで構成された形状の画素に比べて、人間に図として認識されやすく、画素の形状が目立ちやすい。即ち、斜めの線を含んで構成される正六角形のサブピクセル群２７１または４２１、もしくはやっこ形のサブピクセル群２７２，３０１，３０２、または４２２に表示される画素は、従来の画素セル１（２１，４１）の垂直または水平方向の線で構成される長方形のサブピクセル１１乃至１３（３１乃至３３，５１乃至５３）が駆動されることにより表示される画素に比べて、画素の形状が目立ちにくい。
【０２５１】
換言すれば、高密度画像の１画素を表示する正六角形のサブピクセル群２７１または４２１、もしくはやっこ形のサブピクセル群２７２，３０１，３０２、または４２２が、従来の画素セル１（２１，４１）の１画素を表示する３つのサブピクセル１１乃至１３(３１乃至３３，５１乃至５３)に比べて大きいサイズである場合においても、表示部１２３または３５２に表示される高密度画像の画素の荒さが目立ちにくい。
【０２５２】
従って、従来の表示装置と同一の画質の画像を表示させる場合、従来の表示装置に比べて、半導体の微細化を行う必要性が少なくなる。その結果、半導体の微細化に必要なコストを削減することができるというメリットがある。
【０２５３】
また、従来の表示装置と同一の画質の画像を表示させる場合、従来の表示装置に比べて、サブピクセル２６１乃至２６３または４１１乃至４１６のサイズが大きくて済む。サブピクセル２６１乃至２６３または４１１乃至４１６は、光を発光する発光部と発光部を駆動する回路部とから構成され、回路部は、一般的に、所定のサイズより小さくすることは困難である。従って、サブピクセル２６１乃至２６３または４１１乃至４１６のサイズが小さいほど、サブピクセル２６１乃至２６３または４１１乃至４１６全体のサイズに対する、発光部の光が透過する領域の面積の割合である開口率が低下し、サブピクセル２６１乃至２６３または４１１乃至４１６に表示される色の輝度が低下する。
【０２５４】
上述したように、サブピクセル２６１乃至２６３または４１１乃至４１６のサイズが大きくて済む場合、開口率が低下せず、サブピクセル２６１乃至２６３または４１１乃至４１６に表示される色の輝度が低下しない。また、開口率が低下しないので、発光部の光源による消費電力の悪化を防止することができる。
【０２５５】
なお、図５１のサブピクセル４１１乃至４１６に表示される色は、上述した緑色、シアン、青色、マジェンタ、赤色、または黄色に限定されない。例えば、サブピクセル４１１乃至４１６に表示される色に、白色を含める場合、高密度画像の画素の輝度を向上させることができる。
【０２５６】
また、表示制御部１２２（３５１）は、上述したように、サブピクセル２６１乃至２６３（４１１乃至４１６）を駆動し、高密度画像を構成する画素を、１画素ごと(上述した各パターンごと)に表示させるようにする他、高密度画像を構成するすべての画素を同時に表示させるようにしてもよい。表示制御部１２２は、高密度画像を構成するすべての画素を同時に表示させる場合、サブピクセル２６１乃至２６３（４１１乃至４１６）ごとに、自分自身が構成要素となる複数のサブピクセル群２７１，２７２，３０１、または３０２（４２１，４２２）で表示する各画素の画素値を積分し、各サブピクセル２６１乃至２６３（４１１乃至４１６）が表示可能な最大の画素値で正規化した値に基づいて、サブピクセル２６１乃至２６３（４１１乃至４１６）に各色の光を発光させる。
【０２５７】
以上のように、図１０の表示装置１０１では、複数の菱形の形状のサブピクセル２６１乃至２６３が、それぞれ異なる向きで隣接するように配置される表示部１２３の各サブピクセル２６１乃至２６３を駆動し、表示部１２３に高密度画像を表示させるようにしたので、表示部１２３に滑らかな画像を表示させることができる。
【０２５８】
また、図５０の表示装置３５０では、複数の正三角形の形状のサブピクセル４１１乃至４１６が、それぞれ異なる向きで隣接するように配置される表示部３５２の各サブピクセル４１１乃至４１６を、それぞれが異なる色となるようにサブピクセル群４２１または４２２単位で駆動し、表示部３５２に高密度画像を表示させるようにしたので、表示部３５２に滑らかな画像を表示させることができる。
【０２５９】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【図面の簡単な説明】
【０２６０】
【図１】従来の表示装置を構成する画素セルの形状を示す図である。
【図２】図１の画素セルから構成される表示装置において表示される画像の例を示す図である。
【図３】図１の画素セルから構成される表示装置において表示される画像の例を示す図である。
【図４】従来の表示装置を構成する画素セルの他の形状を示す図である。
【図５】従来の表示装置を構成する画素セルのさらに他の形状を示す図である。
【図６】RGBストライプ配列の画素セルから構成される表示装置に表示される画像を示す図である。
【図７】RGBストライプ配列の画素セルから構成される表示装置に表示される画像を示す図である。
【図８】市松配列の画素セルから構成される表示装置に表示される画像を示す図である。
【図９】デルタ配列の画素セルから構成される表示装置に表示される画像を示す図である。
【図１０】本発明を適用した表示装置の第１実施の形態の構成例を示すブロック図である。
【図１１】高密度画像生成部の構成を示すブロック図である。
【図１２】クラスタップと予測タップのタップ構造を説明する図である。
【図１３】算出部の機能の構成例を示すブロック図である。
【図１４】学習部の構成例を示すブロック図である。
【図１５】表示部を構成する画素セルの例を示す図である。
【図１６】第１の駆動方法について説明する図である。
【図１７】第１の駆動方法について説明する図である。
【図１８】第１の駆動方法について説明する図である。
【図１９】第１の駆動方法について説明する図である。
【図２０】第１の駆動方法について説明する図である。
【図２１】第１の駆動方法について説明する図である。
【図２２】第１の駆動方法について説明する図である。
【図２３】第１の駆動方法について説明する図である。
【図２４】第１の駆動方法について説明する図である。
【図２５】サブピクセル群の重心を説明する図である。
【図２６】サブピクセル群の重心を説明する図である。
【図２７】サブピクセル群の重心を説明する図である。
【図２８】サブピクセル群の重心を説明する図である。
【図２９】画素セルに含まれる重心を説明する図である。
【図３０】表示処理を説明するフローチャートである。
【図３１】第２の駆動方法について説明する図である。
【図３２】第２の駆動方法について説明する図である。
【図３３】第２の駆動方法について説明する図である。
【図３４】第２の駆動方法について説明する図である。
【図３５】第２の駆動方法について説明する図である。
【図３６】第２の駆動方法について説明する図である。
【図３７】第２の駆動方法について説明する図である。
【図３８】第２の駆動方法について説明する図である。
【図３９】第２の駆動方法について説明する図である。
【図４０】第２の駆動方法について説明する図である。
【図４１】第２の駆動方法について説明する図である。
【図４２】第２の駆動方法について説明する図である。
【図４３】第２の駆動方法について説明する図である。
【図４４】第２の駆動方法について説明する図である。
【図４５】第２の駆動方法について説明する図である。
【図４６】第２の駆動方法について説明する図である。
【図４７】第２の駆動方法について説明する図である。
【図４８】画素セルに含まれる重心を説明する図である。
【図４９】表示部に表示される高密度画像を示す図である。
【図５０】本発明を適用した表示装置の第２実施の形態の構成例を示すブロック図である。
【図５１】表示部を構成する画素セルの例を示している。
【図５２】第３の駆動方法について説明する図である。
【図５３】第３の駆動方法について説明する図である。
【図５４】第３の駆動方法について説明する図である。
【図５５】第３の駆動方法について説明する図である。
【図５６】第３の駆動方法について説明する図である。
【図５７】第３の駆動方法について説明する図である。
【図５８】第３の駆動方法について説明する図である。
【図５９】第３の駆動方法について説明する図である。
【図６０】第３の駆動方法について説明する図である。
【図６１】第３の駆動方法について説明する図である。
【図６２】第３の駆動方法について説明する図である。
【図６３】第３の駆動方法について説明する図である。
【図６４】第３の駆動方法について説明する図である。
【図６５】第３の駆動方法について説明する図である。
【図６６】第３の駆動方法について説明する図である。
【図６７】第３の駆動方法について説明する図である。
【図６８】第３の駆動方法について説明する図である。
【図６９】第３の駆動方法について説明する図である。
【図７０】第３の駆動方法について説明する図である。
【符号の説明】
【０２６１】
１０１  表示装置，  １２１  高密度画像生成部，  １２２  表示制御部，  １２３  表示部，  ２５１  画素セル，  ２６１乃至２６３  サブピクセル，  ２７１，２７２，３０１，３０２  サブピクセル群，  ３５０  表示装置，  ３５１  表示制御部，  ３５２  表示部，  ４０１  画素セル，  ４１１乃至４１６  サブピクセル，  ４２１，４２２  サブピクセル群
【図１】
2006201485.tif 000011
【図２】
2006201485.tif 000012
【図３】
2006201485.tif 000013
【図４】
2006201485.tif 000014
【図５】
2006201485.tif 000015
【図６】
2006201485.tif 000016
【図７】
2006201485.tif 000017
【図８】
2006201485.tif 000018
【図９】
2006201485.tif 000019
【図１０】
2006201485.tif 000020
【図１１】
2006201485.tif 000021
【図１２】
2006201485.tif 000022
【図１３】
2006201485.tif 000023
【図１４】
2006201485.tif 000024
【図１５】
2006201485.tif 000025
【図１６】
2006201485.tif 000026
【図１７】
2006201485.tif 000027
【図１８】
2006201485.tif 000028
【図１９】
2006201485.tif 000029
【図２０】
2006201485.tif 000030
【図２１】
2006201485.tif 000031
【図２２】
2006201485.tif 000032
【図２３】
2006201485.tif 000033
【図２４】
2006201485.tif 000034
【図２５】
2006201485.tif 000035
【図２６】
2006201485.tif 000036
【図２７】
2006201485.tif 000037
【図２８】
2006201485.tif 000038
【図２９】
2006201485.tif 000039
【図３０】
2006201485.tif 000040
【図３１】
2006201485.tif 000041
【図３２】
2006201485.tif 000042
【図３３】
2006201485.tif 000043
【図３４】
2006201485.tif 000044
【図３５】
2006201485.tif 000045
【図３６】
2006201485.tif 000046
【図３７】
2006201485.tif 000047
【図３８】
2006201485.tif 000048
【図３９】
2006201485.tif 000049
【図４０】
2006201485.tif 000050
【図４１】
2006201485.tif 000051
【図４２】
2006201485.tif 000052
【図４３】
2006201485.tif 000053
【図４４】
2006201485.tif 000054
【図４５】
2006201485.tif 000055
【図４６】
2006201485.tif 000056
【図４７】
2006201485.tif 000057
【図４８】
2006201485.tif 000058
【図４９】
2006201485.tif 000059
【図５０】
2006201485.tif 000060
【図５１】
2006201485.tif 000061
【図５２】
2006201485.tif 000062
【図５３】
2006201485.tif 000063
【図５４】
2006201485.tif 000064
【図５５】
2006201485.tif 000065
【図５６】
2006201485.tif 000066
【図５７】
2006201485.tif 000067
【図５８】
2006201485.tif 000068
【図５９】
2006201485.tif 000069
【図６０】
2006201485.tif 000070
【図６１】
2006201485.tif 000071
【図６２】
2006201485.tif 000072
【図６３】
2006201485.tif 000073
【図６４】
2006201485.tif 000074
【図６５】
2006201485.tif 000075
【図６６】
2006201485.tif 000076
【図６７】
2006201485.tif 000077
【図６８】
2006201485.tif 000078
【図６９】
2006201485.tif 000079
【図７０】
2006201485.tif 000080